(57)【要約】      （修正有）【課題】構造が簡素でかつ軽量であって、清掃等の保守作業が極めて簡単容易であると共に、模様替えや破損などの際にも簡便且つ経済的に対応することができる、改良された壁面直付照明看板装置を提供する。【解決手段】壁面１上に略水平方向に設けた上下１組の看板取付レール５、６と、看板取付レール５、６の中間位置に設けた照明用光源９と、上下１組の看板取付レール５、６の間に、該照明用光源９から受けた光を該看板体の裏面に向けて反射するために設けた光反射シート８と、前記看板取付レール５、６に懸架した光透過性ライン部看板ユニット２とを少なくとも備えてなり、前記ライン部看板ユニット２が、前方に膨出した形状の光透過性面板の周縁を挟着できる嵌合溝を備えると共に前記１組の看板取付レール５、６のそれぞれに懸架結合できる上下１組の懸架部を設けた看板枠体とからなる壁面直付照明看板装置。【選択図】図６
2008287011.tif 000002
【特許請求の範囲】
【請求項１】
壁面上に略水平方向に設けた上下１組の看板取付レールと、前記１組の看板取付レールの中間位置に設けた照明用光源と、上下１組の看板取付レールの間に設けた光反射シートと、前記看板取付レールに懸架した光透過性ライン部看板ユニットとを少なくとも備えてなり、前記ライン部看板ユニットが、前方に膨出した形状の光透過性熱可塑性合成樹脂面板と、前記面板の周縁を挟着できる嵌合溝を備えると共に前記１組の看板取付レールのそれぞれに懸架結合できる上下１組の懸架部を設けた看板枠体とからなることを特徴とする壁面直付照明看板装置。
【請求項２】
前記看板枠体が、上看板取付レールに対する上懸架部を設けた上枠体と、下看板取付レールに対する下懸架部を設けた下枠体と、該上枠体の左右端部と該下枠体の左右端部とをそれぞれ結合部材を介して連結する左枠体及び右枠体とからなることを特徴とする請求項１に記載の壁面直付照明看板装置。
【請求項３】
前記看板枠体は、前面側に前記嵌合溝を、また背面側に前記懸架部をそれぞれ設けてなることを特徴とする請求項１、または請求項２のいずれかに記載の壁面直付照明看板装置。
【発明の詳細な説明】
【技術分野】
【０００１】
本発明は壁面直付照明看板装置に関し、更に詳しくは、建築物又は構築物の壁面などに直付けして看板体を設け、その背後から照明することにより、明るい表示を浮かび上がらせるように構成した看板装置に関するものである。
【背景技術】
【０００２】
従来から、建築物又は構築物の壁面に直付けして看板を設けることが行われている。そして看板の中で、表面に模様や文字などを表示した乳白色半透明の平板体を前面に設け、その裏側より照明を当てることにより、観察者の目を引きやすい明るい表示を現出する、所謂内照式の看板も多く用いられている。
【０００３】
また、このような内照式看板には、前方からしか観察できない平坦な形状のものの他に、例えば店の前等に置かれて前後双方から観察できる独立型の看板や、例えば店の軒先や欄間等に設けられて斜め前方からも観察できる、立体化した形状の壁面直付型看板など、種々の形態のものがある。そして、これらの立体化看板は、例えば光透過性の乳白色半透明合成樹脂板（乳半板）などを用いて、真空成形やブロー成形などの手段により所望の形状の看板面体を成形し、例えば金属製などの枠体などに嵌め込んで形成されるのが普通であった。
【０００４】
ところでこうした内照式看板は、内部に照明用光源取り付け用の器具等を設けているために、金属製などの堅固な看板面材取付枠材を使用する必要があり、嵩張り、重量が大きくなり、取付、取外しに手間を要し、清掃などのために、余分の労力と維持費用がかかるという問題があった。
【０００５】
また、壁面直付型看板は、取り付け場所の状況に応じてデザインされるのが一般的であり、特に店舗の軒先や欄間等に設けられる大型の壁面直付型看板などでは、取り付け壁面の屈折状況、或いは取り付け位置や寸法などが一旦決定された後は、デザインの変更ができない。従って、店舗の模様替えや増設等の際には、従来の壁面直付型看板を廃棄すると共に、新しい壁面直付型看板を作製して取り付ける必要があり、また運用中に看板の一部が破損しても、看板面体の全体を交換しなければならないため、回収再利用の不能な廃棄物が発生するばかりでなく、不経済であるという問題もあった。
【０００６】
これらを改良した壁面上に略水平方向に設けた上下１組の看板取付レールと、看板取付レールの中間位置に設けた照明用光源と、看板取付レールに懸架した光透過性ライン部看板ユニットとを少なくとも備えてなり、ライン部看板ユニットが、前方に膨出した形状の光透過性前面板と、前面板と周縁で接触する光透過性背面板と、前面板の周縁と背面板の周縁とを併せて挟着できる嵌合溝を備えると共に看板取付レールのそれぞれに懸架結合できる上下１組の懸架部を設けた看板枠体とからなる連合看板装置（例えば、特許文献１を参照）が提案されたが、ライン部看板ユニットが、前面板と背面板の二つの面板からなるので、光透過性が劣り照度が不足するという新たな問題が発生した。
【特許文献１】特開２０００−３２２０１０公報（特許請求の範囲の欄、発明の詳細な説明の欄における｛発明の実施の形態｝の段落｛００１４｝〜｛００３７｝、及び図１〜図８を参照）
【発明の開示】
【発明が解決しようとする課題】
【０００７】
本発明は、従来の壁面直付型の内部照明看板における上述のような問題点に鑑みてなされたものであり、構造が簡素な上、軽量であって、清掃等の保守作業が極めて簡単容易であると共に、模様替えや破損などの際にも簡便且つ経済的に対応することができる、改良された壁面直付照明看板装置を提供することを目的としたものである。
【課題を解決するための手段】
【０００８】
上記の目的を達成することができる本発明の第１発明は、請求項１に記載された通りの壁面直付照明看板装置であり、次のようなものである。
壁面上に略水平方向に設けた上下１組の看板取付レールと、前記１組の看板取付レールの中間位置に設けた照明用光源と、上下１組の看板取付レールの間に、該照明用光源から受けた光を該看板体の裏面に向けて反射するために設けた光反射シートと、前記看板取付レールに懸架した光透過性ライン部看板ユニットとを少なくとも備えてなり、前記ライン部看板ユニットが、前方に膨出した形状の表示部を備えた光透過性熱可塑性合成樹脂面板と、前記面板の周縁を挟着できる嵌合溝を備えると共に前記１組の看板取付レールのそれぞれに懸架結合できる上下１組の懸架部を設けた看板枠体とからなる構成である。
【０００９】
上記課題を解決するための本発明の第２発明は、請求項２に記載された通りの壁面直付照明看板装置であり、次のようなものである。
請求項１記載の発明に加えて、看板枠体が上看板取付レールに対する上懸架部を設けた上枠体と、下看板取付レールに対する下懸架部を設けた下枠体と、該上枠体の左右端部と該下枠体の左右端部とをそれぞれ結合部材を介して連結する左枠体及び右枠体とからなる構成であると、看板体の組み立てが容易となるばかりでなく、部分的な破損に対する修理などが極めて容易で、且つ経済的に行える利点がある。そして更に、その左枠体及び／又は右枠体が、光透過性合成樹脂からなるときは、看板体は軽量化して着脱作業が円滑となるほか、隣接する看板体との境界部分が明るくなる利点がある。
【００１０】
上記課題を解決するための本発明の第３発明は、請求項３に記載された通りの壁面直付照明看板装置であり、次のようなものである。
請求項１または請求項２に記載の発明に加えて、看板枠体は、前面側に前記嵌合溝を、また背面側に前記懸架部をそれぞれ設けてなる構成で、看板体取付壁面と看板体との間隔は、照明用光源を設置するための閉鎖空間を、容易に確保でき、照明用光源の選択の自由度が増え、装置全体として設計の自由度が大きくなる効果がある。
【００１１】
さらに本発明の壁面直付照明看板装置において、懸架部が看板取付レールに対して着脱可能であるか、又は看板取付レールに沿って摺動可能であると、照明看板装置の設置作業ばかりでなく、任意の看板ユニットを取り外して交換する作業が容易になり、任意の位置に設けた照明用光源の交換や修理などを簡単に行うことができる。そのため、例えば看板ユニットが損傷したときなどに、損傷した看板ユニットを取り外した後に、隣接した看板ユニットを順次に移動させることができるうえ、交換用の看板ユニットが補充されるまでの間、損傷した看板ユニットを最も目立たない位置に取り付けておくなどして、極めて容易に外観上の被害を最小限に抑えることができ、また同様に、看板の補修を行う際の、古い看板ユニットと新しい看板ユニットとが隣接することによる見栄えの低下も、容易に避けることもできる。
【００１２】
また、本発明の壁面直付照明看板装置における照明用光源は、光源ホルダに取り付けた蛍光灯などであるが、この光源ホルダを、上下の看板取付レールに渡したハンガー部材の前面に設けたホルダ受けに対して、着脱可能に止着し得るように構成する。これら各部品を、壁面上の、特に縦方向の正確な位置に取り付けることが容易であり、看板設置工事の簡素化と仕上がり精度の向上を、同時に実現できる利点がある。
【００１３】
さらに、本発明の壁面直付照明看板装置における光反射シートは、照明用光源から発光した光を、該看板体の裏面に向けて反射させ光を極めて効率良く活用させるシートであり、上下の看板体取付レールの間に設け、看板の照度を格段に向上させる利点がある。
【発明の効果】
【００１４】
本発明の壁面直付照明看板装置は、壁面上に設けた看板取付レールに対して、背後側から照明されるライン部看板ユニットを、着脱並びに摺動可能に取り付けてなるものである。そして看板ユニットと照明用光源とはそれぞれが別体として設けられ、別々に取り外しできるので、それぞれが軽量であることと相まって、清掃や修理、部品交換などが安全かつ容易に実施でき、保守管理の費用が少ないうえ、部品等の回収再利用も容易で、廃棄物発生量の抑制にも有効であるという効果がある。更に、上下の看板取付レールの間に設けられている光反射シートにより、照明用光源の光を反射させ光を極めて効率良く活用させ、看板の照度を格段に向上させる利点がある。
【実施例】
【００１５】
本発明の壁面直付照明看板装置の例を、図に基づいて説明する。図１はコンビニエンスストア等の店頭前面の欄間位置に設けられる横長の内照看板の例を示したものである。図１において、１は内照看板を設置する壁面であり、２はライン部看板ユニット、３はコーナー部看板ユニットで、４はエンドカバーである。そしてライン部看板ユニット２は、上看板取付レール５及び下看板取付レール６に対して、上枠体２２に設けた上懸架部及び下枠体２３に設けた下懸架部により、着脱可能且つ左右摺動可能に懸架結合されている。
【００１６】
本発明の壁面直付照明看板装置に用いられるライン部看板ユニット２の光透過性熱可塑性合成樹脂面体は、例えばアクリル樹脂、ポリカーボネート樹脂、ポリエチレンテレフタレート樹脂、非晶性ポリエステル樹脂などの光透過性の合成樹脂板材を用いて、前方に膨出した形状に成形された面体２１の看板体とするものである（図２参照）。かかる面体２１は、厚さ２〜５mmの乳白色半透明板などで成形したものであることが好ましい。
【００１７】
本発明におけるライン部看板ユニット２の構造は、看板枠体部分の破断面を含む断面を示す図２、部品の組み立て状態を分解して示す図３、上枠体と左枠体の組み合わせ状態の例を示す図４及び組み立て後の要部の断面を示す図５から明らかなように、前面体２１で構成される看板体の縁部に、上枠体２２と、下枠体２３と、左枠体２４と、右枠体２５との、それぞれの前面側に形成された嵌合溝を嵌合させ、止結アングル２６と止結ボルト２７ａ及び止結ナット２７ｂとを用い、これらのそれぞれの枠体の隣接する端部を相互に連結して、一体に結合された看板枠体とする。このようにして連結すると、前面体２１の縁部が、看板枠体の前面側に連続して形成された嵌合溝内に、全周にわたって挟着され、ライン部看板ユニット２が組み立てられることになる。
【００１８】
本発明におけるライン部看板ユニット２を組み立てる際に用いられる上枠体２２は、例えばアルミニウムなどの金属材料で押出成形された型材で構成されたものが、好ましく用いられる。図５に示された断面形状から明らかなように、上枠体２２の下側には、前側と後側の双方からアングル材支持突条２２ｃ、２２ｃが向かい合って突出して設けられ、その間に止結ボルト２７ａ取付用の空隙が形成されている。
【００１９】
一方、上枠体２２の前面側には、下方に向かう挟持壁部２２ａが設けられ、上枠体２２と挟持壁部２２ａとの間に、前述の面体２１の看板体縁部、特にその上縁部を嵌合し且つ挟着するための上嵌合溝２２ｂが、下方に向かって形成されている。そしてまた、上枠体２２の背面側には、ライン部看板ユニット２を、後述する上看板取付レール５に懸架するための上懸架部が形成されている。かかる上懸架部は、当接面２２ｄと、その上方に形成された係合溝２２ｅと、係合溝２２ｅの上部から斜め上方向に突設された係合板２２ｆから構成されている。
【００２０】
また、本発明におけるライン部看板ユニット２を組み立てるに用いられる下枠体２３は、上記の上枠体２２と同様な型材で構成されたものが用いられるが、その断面形状は、図５により明らかなように、上枠体２２と類似した構造となっている。すなわち、下枠体２３の上側には、前側と後側の双方からアングル材支持突条２３ｃ、２３ｃが向かい合って突出して設けられ、その間に止結ボルト２７ａ取付用の空隙が形成されている。
【００２１】
そして下枠体２３の前面側には、上方に向かう挟持壁部２３ａが設けられ、下枠体２３と挟持壁部２３ａとの間に、前述の面体２１の看板体の縁部を嵌合し且つ挟着するための下嵌合溝２３ｂが、上方に向かって形成されている。そしてまた、下枠体２３の背面側には、ライン部看板ユニット２を、後述する下看板取付レール６に取り付けるための下懸架部が形成されている。かかる下懸架部は、当接面２３ｄと、その上方に形成された当接突条２３ｅとから構成されている。
【００２２】
さらに、上枠体２２の左端部と下枠体２３の左端部とを連結する左枠体２４は、その前面側に右方に向かう挟持壁部２４ａが突設されて、上記の上枠体２２や下枠体２３と同様に、前面体２１の左側縁部を嵌合し、且つ挟着する左嵌合溝２４ｂを備えているほかは、上枠体２２や下枠体２３と類似した構造を備えている。また、各枠体の断面が内側に４５度傾いた断面であると、図４に示すように、上枠体２２の左端部と左枠体２４の上端部が密着し組立も簡便で好ましい。更にまた、左枠体２４を構成する材料は、アルミニウム等の金属などでも、光透過性合成樹脂、例えばポリカーボネート樹脂やアクリル樹脂などでも良い。
【００２３】
また、上枠体２２の右端部と下枠体２３の右端部とを連結する右枠体２５は、上記の左枠体２４と左右が全く反対の対照的な構造を有していて、面体２１の右側縁部を嵌合し、且つ挟着する右嵌合溝２５ｂを備えているほかは、左枠体２４と同様な構造となっている。そして、この右枠体２５を構成する材料は、特に限定されるものではないが、左枠体２４と同様な材料であることが好ましい。
【００２４】
本発明におけるライン部看板ユニット２に用いられる看板枠体は、前述のように、上枠体２２と、下枠体２３と、左枠体２４と、右枠体２５とのそれぞれの端部を、止結アングル２６と止結ボルト２７ａ及び止結ナット２７ｂとにより、相互に結合してなるものであるが、かかる結合構造を、図５における上枠体２２と左枠体２４との結合構造を例として、以下に説明する。
【００２５】
先ず、上枠体２２の左端部のアングル材支持突条２２ｃ、２２ｃの裏側に、その左端部から止結ボルト２７ａの頭部を滑り込ませると共に、止結ボルト２７ａの脚部をアングル材支持突条２２ｃ、２２ｃ間の空隙から下方に突出させ、止結アングル２６の一方の腕の背面が、上枠体２２の下面、即ちアングル材支持突条２２ｃ、２２ｃの表面に接触するよう取り付け、止結ボルト２７ａを挿通して、止結ナット２７ｂで軽く締めつける。
【００２６】
次いで、上記と同様な手順で左枠体２４の上端部に止結ボルト２７ａを取り付けて、左枠体２４の上端部の端面を上枠体２２の左端部の端面に当接させ、上記の止結アングル２６の他方の腕の背面が、左枠体２４の右側面に接触するよう取り付けて止結ボルト２７ａを挿通し、止結ナット２７ｂで軽く締めつける。そして、上枠体２２と左枠体２４との姿勢を調整して、上枠体２２の上嵌合溝２２ｂの位置と左枠体２４の左嵌合溝２４ｂの位置とを一致させ、双方の止結ナット２７ｂを増し締めして止結アングル２６を固定させる。
【００２７】
こうして上枠体２２と左枠体２４との結合が完成した後、例えば上枠体２２の右端部と右枠体２５の上端部とを、上記と同様な手順により結合して、左枠体２４と上枠体２２と右枠体２５との結合を完成させる。このときには、左嵌合溝２４ｂと上嵌合溝２２ｂと右嵌合溝２５ｂとが、一続きの嵌合溝を構成することになるので、これに前面体２１の看板体の左と上と右の縁部を嵌合させると、看板体の左と上と右の３方の縁部がいずれも枠体に挟着した状態となる。
【００２８】
そこで最後に、看板体の下の縁部を下枠体２３の下嵌合溝２３ｂに嵌合させ、左枠体２４と右枠体２５のそれぞれの下端部に下枠体２３の左右の端部を、いずれも止結アングル２６を用いて結合し、看板枠体が完成すると同時に、ライン部看板ユニット２も完成する。
【００２９】
なお、上述のような本発明におけるライン部看板ユニット２を組み立てるに当たり、面体２１の看板体の縁部には、縁部の合わせ目、或いは縁部と嵌合溝との間などにパッキン等を使用してもよいことは言うまでもなく、また組み立て手順は、必ずしも上述の手順に限られるものではなく、本発明の効果を損なわない限り適宜変更することもなんら差し支えない。
【００３０】
上記のように組み立てたライン部看板ユニット２は、その上枠体２２の背面側に、当接面２２ｄと、係合溝２２ｅと、係合板２２ｆとを備えた上懸架部が設けられており、またその下枠体２３の背面側に、当接面２３ｄと、当接突条２３ｅとを備えた下懸架部が設けられているので、何時でも看板取付レールに対して懸架することができる。しかし、本発明の別な態様においては、上枠体の背面側や下枠体の背面側に懸架部取付座を設けておき、ライン部看板ユニット２の組み立てを行う前或いは後に、別途に用意した上懸架部や下懸架部を、上記の懸架部取付座に取付固定することもできる。
【００３１】
本発明の内照看板において、ライン部看板ユニット２を懸架する看板取付レールは、上看板取付レール５と下看板取付レール６とから構成されている。かかる看板取付レールは、いずれも、例えば長尺のアルミニウム押出型材などからなるもので、図６に示すように、看板の取り付け壁面１に水平方向に取り付けてある。これらの上看板取付レール５、及び下看板取付レール６を壁面１に取り付けるに際しては、先ず上看板取付レール５を水平となるよう取り付ける。そして、図７に示すように上看板取付レール５と下看板取付レール６の間隔を所定の長さにするために、所定の長さを有するハンガー部材７の上端部を上看板取付レール５の係合突起５dに係合し、こうして垂直に懸垂した状態のハンガー部材７を壁面１に固定する。更にこうして固定された複数のハンガー部材７の下端部に、下看板取付レール６の係合突起６dを係合させると、下看板取付レール６が自動的に所定の位置に置かれることとなるので、その状態で下看板取付レール６を壁面１に固定する。こうすると、下看板取付レール６も下看板取付レール５と同様に、正しく水平に取り付けることができる。
【００３２】
壁面１に取り付けられるハンガー部材７の中央位置の前面には、例えば蛍光灯などの照明用光源９を取り付ける光源ホルダ９１を、所定の位置で水平に係合固定するためのホルダ受け７１が固着されている。このホルダ受け７１は、先端に係合爪が形成された弾性係合片が突設され、ハンガー部材７へ固定したものでも、また取り外すことが可能になっているものでも良い。
【００３３】
上下１組の看板体取付レール５と６の間に取付けられる光反射シート８は、上下１組の看板体取付レール５と６に係合しても、固定して取付けても良い。更に、看板取付レール５、６、ハンガー部材７、壁等に固定、又は係合しても良く、光反射シート８の取り付け方法は限定しない。図７は一例である。上看板取付レール５の係合突起５ｅと下看板取付レール６の係合突起６ｅに係合して取付ける。光反射シート８としては、市販されているものはいずれでも適するが、可視光の全反射率９８％以上、拡散反射率９５％以上を持つ古川電工（株）から市販されているＭＣＰＥＴ、三菱樹脂（株）のヒシメタル等が好ましい。
【００３４】
このようにして壁面１に上看板取付レール５及び下看板取付レール６、ハンガー部材７、光反射シート８、光源ホルダ９１及び照明用光源９、などを取り付けた後、上看板取付レール５及び下看板取付レール６に対して、ライン部看板ユニット２を結合することになる。その際には、先ず図８の（Ｂ）に示すように、上枠体２２の懸架部を構成する係合板２２ｆが水平に近くなるように、ライン部看板ユニット２を傾けた姿勢とし、上看板取付レール５の係合突起５ｃの下側に係合板２２ｆを挿入する。次いでライン部看板ユニット２を垂直方向の位置、即ち図８の（Ａ）の状態にすると、係合溝２２ｅ及び係合板２２ｆが、上看板取付レール５の支持端５ｂ及び係合突起５ｃにそれぞれ係合し、同時に当接面２２ｄが、上看板取付レール５の当接面５ａに当接する。
【００３５】
こうして、ライン部看板ユニット２が上看板取付レール５に対して懸架されると、図９の（Ａ）のように、下枠体２３の懸架部を構成する当接面２３ｄ及び当接突条２３ｅが、下看板取付レール６の第１当接面６ａ及び第２当接面６ｂにそれぞれ当接し、それと同時に、係止爪２３ｆが下看板取付レール６の係止肩６ｃに係合する。そのため、下枠体２３の懸架部と下看板取付レール６との係合状態が保持され、その結果としてライン部看板ユニット２は、確実に上看板取付レール５と下看板取付レール６とに結合されることになる。
【００３６】
このようにして結合されたライン部看板ユニット２を、看板取付レール５、６から取り外すには、先ず図９の（Ｂ）のように、係合外しボタン２３ｇを押す。そうすると、スプリング２３ｈの付勢力に抗して係止爪２３ｆが係止肩６ｃから外れるから、ライン部看板ユニット２の下部を手前に引くと、下枠体２３の懸架部と下看板取付レール６との係合状態は簡単に解除され、ライン部看板ユニット２は、上看板取付レール５のみに単に懸架された状態になる。従ってライン部看板ユニット２は、上看板取付レール５から取り外すことも、また上看板取付レール５に懸架したまま任意の位置まで移動させることも、簡単にできるようになる。
【００３７】
また、本発明の壁面直付照明看板装置には、更に必要に応じてコーナー部看板ユニット３やエンドカバー４を取り付けることができる。ここで用いられるコーナー部看板ユニット３は、ライン部看板ユニット２と同様に、光透過性の硬質合成樹脂で形成された成形体を用いて構成されたものである。かかるコーナー部看板ユニット３の縦断面の表側形状は、ライン部看板ユニット２の表側形状と略一致する前面板を備え、またその両側面が背後方の鉛直線位置で交差するように、後すぼみ状の横断面を有しているものである。
【００３８】
このようなコーナー部看板ユニット３は、図１０に示すように、壁面１のコーナー部１ａに設けるほかに、１個以上のライン部看板ユニット２が設けられた看板の両側端、或いは一方側端に設けて、側端部にもライン部と同様なデザインを表した看板を構成することもできる。そして、壁面のコーナー部１ａにコーナー部看板ユニット３を設けるに当たっては、例えばＬ字型などの固定金具３１を介して固定するか、又は着脱可能に懸架することができる。こうして取り付けられたコーナー部看板ユニット３は、ライン部看板ユニット２が隣接して設けられているので、隣接したライン部看板ユニット２の側端部から漏れ出る照明光が、コーナー部看板ユニット３の側端部から供給されることになるから、コーナー部看板ユニット３には、特に照明用光源を設ける必要がない。
【００３９】
また、ライン部看板ユニット２やコーナー部看板ユニット３を設けてなる看板の、両側端或いは一方側端には、必要に応じて、図１１に示すようなエンドカバー４を設けることができる。このようなエンドカバー４は、看板の側端部から漏れ出る照明光を制限する必要があるときに設けるもので、光遮断性能が高ければどのような材料を用いて形成してもよいが、製造の容易さや耐久性等の点からは、アルミニウム板などにより形成することが好ましい。そして壁面１にエンドカバー４を取り付けるに当たっては、例えばＬ字型などの固定金具４１を用いて壁面１に固定することができる。
【図面の簡単な説明】
【００４０】
【図１】本発明の壁面直付照明看板装置の設置状態の１例を示す外観斜視図である。
【図２】本発明の壁面直付照明看板装置に用いられるライン部看板ユニットの、側面断面図である。
【図３】本発明の壁面直付照明看板装置に用いられるライン部看板ユニットの組立状態の例を示す分解外観斜視図である。
【図４】本発明の壁面直付照明看板装置に用いられるライン部看板ユニットの、看板枠体の組み合わせ状態の例を示す正面図である。
【図５】本発明の壁面直付照明看板装置に用いられるライン部看板ユニットの、看板枠体の組立構造を示す断面図である。
【図６】本発明の壁面直付照明看板装置に用いられる看板取付レール、ハンガー部材、光反射シート、照明用光源、及びライン部看板ユニットの組立状態の例を示す外観一部分解斜視図である。
【図７】本発明の壁面直付照明看板装置に用いられる光反射シートの取付状態例を示す断面図である。
【図８】本発明の壁面直付照明看板装置のライン部看板ユニットを看板取付レールに結合する例の構造を示し、（Ａ）は上看板取付レールと上枠体との結合状態を、（Ｂ）は上看板取付レールに上枠体を懸架した状態を、それぞれ示す断面図である。
【図９】本発明の壁面直付照明看板装置のライン部看板ユニットを看板取付レールに結合する例の構造を示し、（Ａ）は下看板取付レールと下枠体との結合状態を、（Ｂ）は下看板取付レールから下枠体を開放した状態を、それぞれ示す断面図である。
【図１０】本発明の壁面直付照明看板装置に用いられるコーナー部看板ユニットの例の形状とその取付状態を示す外観斜視図である。
【図１１】本発明の壁面直付照明看板装置に用いられるエンドカバーの例の形状とその取付状態を示す外観斜視図である。
【符号の説明】
【００４１】
１・・・・壁面                          １ａ・・・・コーナー部
２・・・・ライン部看板ユニット          ２１・・・・前面体
２２・・・・上枠体                      ２２ａ・・・・挟持壁部
２２ｂ・・・・上嵌合溝                    ２２ｃ・・・・アングル材支持突条
２２ｄ・・・・当接面                      ２２ｅ・・・・係合溝
２２ｆ・・・・係合板                        ２３・・・・下枠体
２３ａ・・・・挟持壁部                    ２３ｂ・・・・下嵌合溝
２３ｃ・・・・アングル材支持突条          ２３ｄ・・・・当接面
２３ｅ・・・・当接突条                    ２３ｆ・・・・係止爪
２３ｇ・・・・係合外しボタン              ２３ｈ・・・・スプリング
２４・・・・左枠体                      ２４ａ・・・・挟持壁部
２４ｂ・・・・左嵌合溝                      ２５・・・・右枠体
２５ａ・・・・挟持壁部                    ２５ｂ・・・・右嵌合溝
２６・・・・止結アングル                ２７ａ・・・・止結ボルト
２７ｂ・・・・止結ナット                      ３・・・・コーナー部看板ユニット
３１・・・・固定金具                        ４・・・・エンドカバー
４１・・・・固定金具                        ５・・・・上看板取付レール
５ａ・・・・当接面                        ５ｂ・・・・支持端
５ｃ・・・・係合突起                      ５ｄ・・・・ハンガー部材係合突起
５ｅ・・・・光反射シート係合突起            ６・・・・下看板取付レール
６ａ・・・・第１当接面                    ６ｂ・・・・第２当接面
６ｃ・・・・係止肩                        ６ｄ・・・・ハンガー部材係合突起
６ｅ・・・・光反射シート係合突起            ７・・・・ハンガー部材
７１・・・・ホルダ受け                      ８・・・・光反射シート
９・・・・照明用光源                    ９１・・・・光源ホルダ
【図１】
2008287011.tif 000003
【図２】
2008287011.tif 000004
【図３】
2008287011.tif 000005
【図４】
2008287011.tif 000006
【図５】
2008287011.tif 000007
【図６】
2008287011.tif 000008
【図７】
2008287011.tif 000009
【図８】
2008287011.tif 000010
【図９】
2008287011.tif 000011
【図１０】
2008287011.tif 000012
【図１１】
2008287011.tif 000013